(57)【要約】【課題】抗菌性物質の広範囲にわたる拡散させつつこの抗菌性物質の消費量を抑制して、空間の除菌消臭効果を極力長期にわたって維持することの可能な空間除菌装置を提供することを課題とする。【解決手段】筐体２と、この筐体に設けられた気体流路３と、この気体流路の途中に設けられ、この気体流路に、気流を発生させる送風手段４と、前記気体流路に設けられ、液体を気化させる気化手段５と、前記抗菌性物質が吸着された抗菌性物質坦持体を収納する抗菌剤収納手段６とを備え、前記気体流路の吐出部には、この吐出部前方に空間部を形成するカバー７が形成され、このカバーには、前記空間部内の気体を前記空間へ放出する気体放出孔７ａが形成され、前記気流により、前記気化された液体と前記抗菌性物質坦持体から放出される前記抗菌性物質とを、前記カバーの空間部７ａから前記気体放出孔を経て空間Ａに放出する。【選択図】図４
2015036095.tif 000002
【特許請求の範囲】
【請求項１】
空間に抗菌性物質を放出し、この抗菌性物質によって前記空間の除菌を行なうようにした空間除菌装置であって、筐体と、この筐体に設けられ、気体の吸気部と吐出部とを備えた気体流路と、この気体流路の途中に設けられ、この気体流路に、気流を発生させる送風手段と、前記気体流路に設けられ、液体を気化させる気化手段と、前記抗菌性物質が吸着された抗菌性物質坦持体を収納する抗菌剤収納手段とを備え、前記気体流路の吐出部には、この吐出部前方に空間部を形成するカバーが形成され、このカバーには、前記空間部内の気体を前記空間へ放出する気体放出孔が形成され、前記気流により、前記気化された液体と前記抗菌性物質坦持体から放出される前記抗菌性物質とを、前記カバーの空間部から前記気体放出孔を経て前記空間に放出するようになされていることを特徴とする空間除菌装置。
【請求項２】
前記気化手段が、通気性および保液性を有する液体坦持体と、この液体坦持体に前記液体を供給する液体供給手段とによって構成され、前記液体坦持体に前記気流を透過させることにより、前記液体坦持体に保持された液体を気化させるようになされていることを特徴とする請求項１に記載の空間除菌装置。
【請求項３】
前記抗菌性物質坦持体が、通気性を有する収納袋内に充填され、前記抗菌剤収納手段が、前記収納袋が内装される収納ボックスからなり、この収納ボックスの側面が、前記送風手段に対向配置されているとともに、前記側面に前記気流を内部へ導く多数の通気口が千鳥状に配置され、かつ、前記収納ボックスの前記気流の下流側の端面に、前記気体流路に開口する拡散口が形成されていることを特徴とする請求項１に記載の空間除菌装置。
【請求項４】
前記液体供給手段が、前記液体を貯留するタンクと、このタンク内に設置され、前記液体を前記液体坦持体へ向けて送り込むポンプと、このポンプと前記液体坦持体との間に設けられた液体供給路と、この液体供給路に設けられて、前記液体を前記液体坦持体に含浸させる液体吐出孔とを備えていることを特徴とする請求項１に記載の空間除菌装置。
【請求項５】
前記タンクが、その底部に、この底部内面よりも下方に位置する液溜まり部が形成され、前記タンクの底部が、前記液溜まり部に向けて下方へ傾斜して形成され、前記ポンプの吸引部が、前記液溜まり部に配置されていることを特徴とする請求項４に記載の空間除菌装置。
【発明の詳細な説明】
【技術分野】
【０００１】
本発明は、建築物の内部空間の空気の除菌を行なうようにした空間除菌装置であって、特に、大空間の除菌へも容易に対応可能な空間除菌装置に関するものである。
【背景技術】
【０００２】
一般に、建築物の内部空間の空気を加湿することにより、前記空気内に浮遊するウィルスの増殖を抑制することが提案されている。
【０００３】
このような空気を加湿する技術により、ある程度のウィルスの増殖抑制効果を期待できるようになったが、ウィルスをさらに減少させる積極的な除菌を行なうことが要望されている。
【０００４】
前述した要望に対応すべく従来では、筐体に、吸気口と排気口とを備えた気体流路を設け、この気体流路内に、気化器と、前記ウィルスを減少させるための除菌消臭剤を収納した除菌剤収納器、および、気流を発生させる送風ファンを設けておき、この送風ファンによって発生させられる前記気流によって、前記除菌剤収容器から放出される除菌消臭剤を、前記気化器において生成される気化液とともに、前記筐体の排気口から空気中に放出して、加湿作用と除菌消臭作用とを同時に行なって、空気中の除菌消臭効果を高めることが提案されている（特許文献１参照）。
【先行技術文献】
【特許文献】
【０００５】
【特許文献１】特開２０１２−１４９８１２号公報
【発明の概要】
【発明が解決しようとする課題】
【０００６】
前述した従来の技術によって、空気中の除菌消臭効果を高めることが可能となったが、なお、つぎのような改善すべき問題点が残されている。
【０００７】
すなわち、前述した技術では、前記気化液と除菌消臭剤の混合気体を空気中の広い範囲に拡散させるためには、前記送風ファンによって発生させられる気流の流速を速めることが効果的である。
【０００８】
しかしながら、前記気化液と除菌消臭剤の混合気体の空気中への放出量が、前記気流の流速に依存することから、この気流の流速を高めることにより、前記混合気体の放出量が増加することとなるが、特に、前記除菌剤収納器において収納できる除菌消臭剤の量が制限されていることから、前述したようにその放出量が増加すると、安定した除菌消臭効果を長期間維持することができないといった問題点である。
【０００９】
したがって、前記除菌剤収納容器内の除菌消臭剤を頻繁に交換する必要があり、維持管理が煩雑なものとなるばかりでなく、維持コストが高騰してしまうことが想定される。
【００１０】
本発明は、このような従来の問題点を解決すべく、抗菌性物質を広範囲にわたって拡散させつつこの抗菌性物質の消費量を抑制して、空間の除菌消臭効果を極力長期にわたって維持することの可能な空間除菌装置を提供することを課題とする。
【課題を解決するための手段】
【００１１】
本発明の空間除菌装置は、前述した課題を解決するために、空間に抗菌性物質を放出し、この抗菌性物質によって前記空間の除菌を行なうようにした空間除菌装置であって、筐体と、この筐体に設けられ、気体の吸気部と吐出部とを備えた気体流路と、この気体流路の途中に設けられ、この気体流路に、気流を発生させる送風手段と、前記気体流路に設けられ、液体を気化させる気化手段と、前記抗菌性物質が吸着された抗菌性物質坦持体を収納する抗菌剤収納手段とを備え、前記気体流路の吐出部には、この吐出部前方に空間部を形成するカバーが形成され、このカバーには、前記空間部内の気体を前記空間へ放出する気体放出孔が形成され、前記気流により、前記気化された液体と前記抗菌性物質坦持体から放出される前記抗菌性物質とを、前記カバーの空間部から前記気体放出孔を経て前記空間に放出するようになされていることを特徴としている。
【００１２】
本発明の空間除菌装置では、停止時において、前記送風手段が停止されて、前記気体流路内の気体の流れが停止させられ、また、前記抗菌剤収納手段において、収納されている抗菌性物質坦持体から抗菌性物質が前記気体流路内の気体中に放出され、また、前記気化手段に液体が供給されている。
【００１３】
この状態において装置を起動すると、前記送風手段によって前記気体流路内に気流が発生させられ、この気流が、前記気化手段に送り込まれてこの気化手段に保持されている液体が気化されるとともに、この気化液が前記気体中に放出されている前記抗菌性物質と混合され、この混合気体が前記カバー内の空間部へ送り込まれる。
【００１４】
前記空間部へ送り込まれた混合気体は、前記カバーに形成されている気体放出孔から外部空間へと放出される。
【００１５】
ここで、前記混合気体が前記気体放出孔を通過する際に抵抗を受けることによりその流量が調整され、余剰の混合気体が前記カバー内の空間部に滞留させられる。
【００１６】
また、前記混合気体の流れが前記気体放出孔によって絞り込まれることにより、前記混合気体の流速が高められる。
【００１７】
したがって、前記混合気体の過剰な放出が抑制され、特に、前記抗菌性物質の放出量が適正な量に調整されて過剰な消費が抑えられ、かつ、前記混合気体の流速が高められることにより、その拡散範囲が拡大される。
【００１８】
また、前記抗菌性物質の拡散量、すなわち、その消費量を抑制して、抗菌作用の継続時間を長くし、あるいは、前記抗菌性物質の交換サイクルを短くして維持コストの低減を図ることができる。
【００１９】
本発明では、前記気化手段を、通気性および保液性を有する液体坦持体と、この液体坦持体に前記液体を供給する液体供給手段とによって構成し、前記液体坦持体に前記気流を透過させることにより、前記液体坦持体に保持された液体を気化させるようにする。
【００２０】
このような構成とすることにより、前記液体坦持体を、前記気体流路を全面にわたって遮るように配置して、この液体坦持体により、前記気体流路全面わたって液体膜を形成することができ、これによって、十分な気化液量を確保することができる。
【００２１】
本発明では、前記抗菌性物質坦持体が、通気性を有する収納袋内に充填され、前記抗菌剤収納手段が、前記収納袋が内装される収納ボックスからなり、この収納ボックスの側面が、前記送風手段に対向配置されているとともに、前記側面に前記気流を内部へ導く多数の通気口が千鳥状に配置され、かつ、前記収納ボックスの前記気流の下流側の端面に、前記気体流路に開口する拡散口が形成された構成とすることができる。
【００２２】
このような構成とすることにより、前記収納ボックス内に導かれる気流と前記収納袋との接触面積が拡大され、これらの接触が、前記収納袋の表面において均一化される。
この結果、前記気流が接触させられることによって生じる、前記収納袋内の抗菌性物質坦持体の振動が、前記収納袋内全体にわたって均一化されて、前記抗菌性物質の放出が、前記抗菌性物質坦持体全体から均一に行なわれる。
【００２３】
さらに、本発明では、前記液体供給手段が、前記液体を貯留するタンクと、このタンク内に設置され、前記液体を前記液体坦持体へ向けて送り込むポンプと、このポンプと前記液体坦持体との間に設けられた液体供給路と、この液体供給路に設けられて、前記液体を前記液体坦持体に含浸させる液体吐出孔とを備えた構成とすることができる。
【００２４】
このような構成とすることにより、空間除菌装置の起動に伴って、ポンプにより、タンクに貯留されている気化用液体が液体供給路およびその液体吐出孔から前記液体坦持体へと供給される。
【００２５】
ここで、前記ポンプによる液体の供給量を、前記送風機による気体の送風量に合わせて調整することにより、最適な液体供給量を設定することができる。
【００２６】
そして、前記液体吐出孔を、前記気化手段の液体坦持体の上方に間隔をおいて対峙させることにより、前記液体を前記液体坦持体へ滴下させて供給し、あるいは、前記液体吐出孔を、前記液体坦持体に接触させておいて、前記液体を前記液体坦持体に直接供給させることができる。
【００２７】
前者の供給方法であると、前記ポンプによって設定された供給量に基づいた供給が可能となり、後者の供給方法であると、前記液体坦持体自体の毛細管作用により、前記液体の連続した供給が可能となる。
【００２８】
さらに、前記タンクが、その底部に、この底部内面よりも下方に位置する液溜まり部が形成され、前記タンクの底部が、前記液溜まり部に向けて下方へ傾斜して形成され、前記ポンプの吸引部が、前記液溜まり部に配置された構成とすることができる。
【００２９】
このような構成とすることにより、前記タンク内に貯留されている液体の残量が少なくなると、この液体は、前記タンクの底部の傾斜によって前記液溜まりに流れ込むことによって集約され、この集約された液体を、前記吸引部から前記ポンプによって吸引して前記気化手段へ送り込むことができる。
【００３０】
これによって、前記タンク内に貯留されている液体が少なくなった場合においても、残された液体を確実に気化手段へ送り込むことができ、液体を無駄なく利用することができる。
【発明の効果】
【００３１】
本発明によれば、気化液と抗菌性物質とを混合しつつ空間部へ放出拡散させて空間の除菌効果を確保することができるとともに、前記気化液と抗菌性物質との混合気体を前記空間部へ放出拡散させる際に、この混合気体を、一旦、カバー内に形成されている空間部に送り込んだ後に、このカバーに形成されている気体放出孔を経て前記空間部へ放出することにより、前記混合気体の放出拡散量を緩やかなものとして、前記抗菌性物質の放出量を緩やかにし、前述した除菌効果の維持期間を延ばし、かつ、前記気体放出孔の絞り効果により、前記空間に放出される前記混合気体の放出速度を高めて、広範囲な除菌効果を確保することができる。
【図面の簡単な説明】
【００３２】
【図１】本発明の一実施形態を示す側面図である。
【図２】本発明の一実施形態を示す正面図である。
【図３】本発明の一実施形態を示す背面図である。
【図４】本発明の一実施形態を示す縦断面側面図である。
【図５】本発明の一実施形態のタンクを示すもので、上面を取り除いた状態を示す外観斜視図である。
【図６】本発明の一実施形態の収納ボックスを示す外観斜視図である。
【図７】本発明の一実施形態の気化手段を示す分解斜視図である。
【図８】本発明の一実施形態の液体供給手段の要部を示す分解斜視図である。
【図９】本発明の一実施形態の液体供給手段を示すもので、液体供給路の止着構造を説明するための拡大図である。
【図１０】本発明の一実施形態の液体供給手段を示すもので、液体供給路の止着構造を説明するための拡大図である。
【図１１】本発明の一実施形態の気化手段を示すもので、液体坦持体と液体供給手段との配置関係を示す外観斜視図である。
【図１２】本発明の一実施形態を示すもので、液体供給手段による液体の供給形態を示す拡大図である。
【発明を実施するための形態】
【００３３】
以下、本発明の一実施形態について図面を参照して説明する。
図１において符号１で示す本実施形態に係わる空間除菌装置は、空間Ａに抗菌性物質を放出し、この抗菌性物質によって前記空間の除菌を行なうようにした空間除菌装置であって、筐体２と、この筐体２に設けられ、気体の吸気部３ａと吐出部３ｂとを備えた気体流路３と、この気体流路３の途中に設けられ、この気体流路３に、気流を発生させる送風手段４と、前記気体流路３に設けられ、液体Ｌ（図４参照）」を気化させる気化手段５と、および、前記抗菌性物質が吸着された抗菌性物質坦持体Ｔ（図４参照）を収納する抗菌剤収納手段６とを備え、前記気体流路３の吐出部３ｂには、この吐出部３ｂ前方に空間部Ｂを形成するカバー７が形成され、このカバー７には、前記空間部Ｂ内の気体を前記空間Ａへ放出する気体放出孔７ａが形成され、前記気流により、前記気化された液体と前記抗菌性物質坦持体Ｔから放出される前記抗菌性物質とを、前記カバー７の空間部Ｂから前記気体放出孔７ａを経て前記空間Ａに放出するようになされている。
【００３４】
ついで、これらの詳細について説明すれば、本実施形態においては、前記気化手段５が、通気性および保液性を有する液体坦持体８と、この液体坦持体８に前記液体Ｌを供給して保持させる液体供給手段９とによって構成され、前記液体坦持体８に前記気流を透過させることにより、前記液体坦持体８に保持された液体Ｌを気化させるようになっている。
【００３５】
前記抗菌性物質坦持体Ｔは、通気性を有する収納袋１０内に充填され、前記抗菌剤収納手段６が、前記収納袋１０が内装される収納ボックス１１からなり、この収納ボックス１１の一側面が、図１および図４に示すように、前記送風手段４に対向配置されているとともに、図６に示すように、前記側面に前記気流を内部へ導く多数の通気口１１ａが千鳥状に配置され、かつ、前記収納ボックス１１の前記気流の下流側の端面に、前記気体流路３に開口する拡散口１１ｂが形成されている。
【００３６】
また、前記収納ボックス１１は、その両側部にピンＰがそれぞれ突設されており、これらのピンＰを介して、前記筐体２の前記気体流路３の内壁に沿って着脱可能に吊設されるようになっている。
これによって、前記収納ボックス１１は、前記気体流路３の吐出部３ｂを介して着脱可能となされており、取り外した状態において、その内部の収納袋１０の取り替えが行なえるようになっている。
【００３７】
前記液体供給手段９は、本実施形態においては、図４に示すように、前記液体Ｌを貯留するタンク１２と、このタンク１２内に設置され、前記液体Ｌを前記液体坦持体８へ向けて送り込むポンプ１３と、このポンプ１３と前記液体坦持体８との間に設けられた液体供給路を構成する液体供給パイプ１４と、この液体供給パイプ１４の下流側の端部に設けられて、前記液体Ｌを前記液体坦持体８に含浸させる液体吐出孔１５（図９、図１０および図１２参照）とを備えている。
【００３８】
液体供給パイプ１４は、図８、図１０および図１２に示すように、前記筐体２の内部に取り付けられるステー１７に、クリップ１８を介して着脱可能に取り付けられるようになっており、このように前記ステー１７に取り付けられた状態において、図１２に示すように、前記液体坦持体８の上部に所定間隔で対峙させられるようになっている。
【００３９】
前記気化手段５を構成する前記液体坦持体８は、不織布等の通気性を有し含液性を有する材料によって、図７に示すように、矩形状に形成されており、前記筐体２の気体流路３内に、この気体流路３を遮るように着脱可能に取り付けられる枠体１９内に装着され、この枠体１９とともに前記筐体２内に着脱可能に装着されるようになっている。
【００４０】
前記枠体１９は、その内部に装着される前記液体坦持体８の両側部および下部を拘束して保持するようになっており、前記筐体２から取り外した状態において、前記液体坦持体８の交換が行なえるようになっている。
【００４１】
また、本実施形態においては、前記タンク１２が、図５に示すように、その底部に、この底部内面１２ａよりも下方に位置する液溜まり部２０が形成され、前記タンク１２の底部内面１２ａが、前記液溜まり部２０に向けて下方へ傾斜して形成されており、前記ポンプ１３が、その吸引部が前記液溜まり部２０に位置するように配置されている。
【００４２】
さらに、本実施形態における前記カバー７は、図４に示すように、断面が略半円状となされ、その外周縁に全周にわたって鍔部７ｂが連設されている（図１、図２および図４参照）。
【００４３】
そして、前記カバー７は、前記鍔部７ｂと前記筐体２との間にこれらを回動可能に連結する蝶番（図示略）を介して前記筐体２に回動可能に取り付けられているとともに、その回動端部において、磁石等の固定部材によって前記筐体２に固定されることにより、前記気体流路３の吐出部３ｂを閉塞した状態に保持するようになっている。
【００４４】
前記カバー７は、前述した吐出部３ｂを閉塞した状態において、この吐出部３ｂを、図４に示すように、前記多数の気体放出孔７ａを介して前記空間Ａへ連通させるとともに、前記吐出部３ｂの前方に空間部Ｂを形成するようになっている。
【００４５】
図１ないし図４において符号２１は、前記筐体２の下部に取り付けられて、この筐体２を支持するキャスターを示し、このキャスター２１は、本実施形態においては４個取り付けられており、それらの２個以上には、このキャスター２１の動きを拘束するブレーキ２２が設けられている。
【００４６】
また、符号２３はハンドルを示し、前記筐体２に一体に取り付けられて、この筐体２の移動の際に把手として利用される。
そして、このハンドル２３は、本実施形態の空間除菌装置１の設置を完了した時点で、前記筐体２内に収納するか、あるいは、筐体２の側部に折り畳む構成とすることが好ましい。
【００４７】
一方、前記気体流路３の吸気部３ａには、図１、図３、および、図４に示すように、前記気体流路３内への粉塵等の侵入を防止するフィルター２４が着脱可能に装着されている。
【００４８】
また、符号２５は、前記送風手段４やポンプ１３の駆動を制御するコントロールユニットを示し、前記送風手段４における送風量の調整や、前記液体供給手段９における液体供給量の調整を行なうようになっており、このコントロールユニット２５へ駆動信号を出力するコントロールパネルが前記筐体２の上面に装着されている（図示略）。
【００４９】
そして、本実施形態においては、前記抗菌性物質として、二酸化塩素が用いられ、この二酸化塩素を、セピオライトからなる多孔性の微粒子（平均粒径０．１ｍｍ）に物理的に吸着、担持させて前記抗菌剤坦持体とし、この抗菌剤坦持体を前記収納袋１０に充填し、この収納袋１０を前記収納ボックス１１に挿入することによって前記抗菌剤収納手段６が構成されている。
【００５０】
前記液体Ｌは、たとえば、加湿のための水、あるいは、水に前記二酸化塩素を溶解させた二酸化塩素水が用いられる。
【００５１】
さらに、前記タンク１２には、図１に示すように、このタンク１２内に前記液体Ｌを補給するための給水口２６と、前記液体Ｌの貯留量を表示する残量計２７が設けられ、さらに、前記液溜まり部２０の下部には、ドレン２８が設けられている。
【００５２】
このように構成された本実施形態に係わる空間除菌装置１は、前記液体坦持体８を前記枠体１９に装着するとともに、前記抗菌剤坦持体が充填された収納袋１０を収納ボックス１１に装着して、これらを、前記カバー７を開放方向に回動させることによって開放された前記気体流路３の吐出部３ｂから挿入し、前記気体流路３内にセットする。
【００５３】
これより、前記カバー７を閉じた後に、前記送風手段４および液体供給手段９へ前記コントロールユニット２５より諸制御信号を送出することにより、前記空間除菌装置１が起動され、前記液体Ｌおよび抗菌性物質の混合気体を空間Ａへ放出して、この空間Ａの除菌を行なうことができる。
【００５４】
すなわち、前記液体供給手段９が起動されると、前記ポンプ１３によって液体Ｌが吸引され、この液体Ｌが前記液体供給パイプ１４を介して液体吐出孔１５へ送り込まれ、さらに、この液体吐出孔１５から、その下方に位置する前記液体坦持体８へ滴下供給される。
【００５５】
このようにして前記液体坦持体８に供給された前記液体Ｌは、一旦、前記液体坦持体８に保持されるが、この液体坦持体８を、前記送風手段４から送り込まれる気流が透過させられることにより、前記液体坦持体８に保持されている前記液体Ｌが気化されて、この気化液が前記気体流路３の吐出部３ｂへ向けて送り込まれる。
【００５６】
一方、前記気流は、前記送風手段４に対向配置されている前記抗菌剤収納手段６に当接させられるとともに、前記収納ボックス１１に形成されている千鳥状の多数の通気口１１ａからその内部に侵入し、内部の収納袋１０に充填されている抗菌性物質坦持体に振動を与えて抗菌性物質を放出させる。
【００５７】
このように放出された抗菌性物質、本実施形態においては、二酸化塩素ガスは、前記収納ボックス１１内に侵入した気流とともに、前記収納ボックス１１の拡散口１１ｂを経て前記気体流路３へ流れ込み、この気体流路３内を流れる前記気化液と混合される。
【００５８】
このようにして混合された気化液と抗菌性物質との混交気体は、前記気体流路３の前記吐出口３ｂから前記カバー７内に形成されている空間部Ｂへ送り込まれた後に、前記カバー７に形成されている多数の気体放出孔７ａを介して前記空間Ａへ放出拡散させられる。
【００５９】
ここで、前記混合気体が前記気体放出孔７ａを通過する際に抵抗を受けることによりその流量が調整され、余剰の混合気体が前記カバー７内の空間部Ｂに滞留させられる。
【００６０】
また、前記混合気体の流れが前記気体放出孔７ａによって絞り込まれることにより、前記混合気体の流速が高められる。
【００６１】
したがって、前記混合気体の過剰な放出が抑制され、特に、前記抗菌性物質の放出量が適正な量に調整されて過剰な消費が抑えられ、かつ、前記混合気体の流速が高められる。
【００６２】
この結果、前記抗菌性物質が吸着された抗菌性物質坦持体の交換頻度を低くすることができ、維持管理を容易にし、かつ、その費用を低減することができる。
【００６３】
また、前記混合気体の放出距離が長くなり、その拡散範囲が拡大され、広範囲にわたって除菌作用を行なうことができる。
【００６４】
なお、前記実施形態において示した、各構成部材の諸形状や配置、あるいは、寸法等は一例であって、設計要求等に基づき種々変更可能である。
【００６５】
たとえば、前記液体Ｌを前記液体坦持体８に滴下によって供給する例について示したが、前記液体供給手段９と前記液体坦持体８とを接触させておくことにより、前記液体Ｌを前記液体坦持体８に直接供給するようにしてもよい。
【符号の説明】
【００６６】
１空間除菌装置
２  筐体
３  気体流路
３ａ  吸気部
３ｂ  吐出部
４  送風手段
５  気化手段
６  抗菌剤収納手段
７  カバー
７ａ  気体放出孔
７ｂ  鍔部
８  液体坦持体
９  液体供給手段
１０  収納袋
１１  収納ボックス
１１ａ  通気口
１１ｂ  拡散口
１２  タンク
１２ａ  底部内面
１３  ポンプ
１４  液体供給パイプ（液体供給路）
１５  液体吐出孔
１７  ステー
１８  クリップ
１９  枠体
２０  液溜まり部
２１  キャスター
２２  ブレーキ
２３  ハンドル
２４  フィルター
２５  コントロールユニット
２６  給水口
２７  残量計
２８  ドレン
Ａ  空間
Ｂ  空間部
Ｌ  液体
Ｐ  ピン
Ｔ  抗菌性物質坦持体
【図１】
2015036095.tif 000003
【図２】
2015036095.tif 000004
【図３】
2015036095.tif 000005
【図４】
2015036095.tif 000006
【図５】
2015036095.tif 000007
【図６】
2015036095.tif 000008
【図７】
2015036095.tif 000009
【図８】
2015036095.tif 000010
【図９】
2015036095.tif 000011
【図１０】
2015036095.tif 000012
【図１１】
2015036095.tif 000013
【図１２】
2015036095.tif 000014